(57)【要約】【課題】可搬型取引装置への現金の収納や回収という、渉外員または係員の作業上の煩わしさの解消と現金管理上の正確性の向上を図る。【解決手段】取引に利用する貨幣を格納する可搬型取引装置１と、該可搬型取引装置１と機械的かつ電気的に接続可能な現金出納機１０で構成され、該現金出納機１０に前記可搬型取引装置１が接続されると、前記現金出納機１０から前記可搬型取引装置１への貨幣の収納動作、または前記可搬型取引装置１から前記現金出納機１０への貨幣の回収動作を可能とした現金管理システムであって、前記可搬型取引装置１には、収納している貨幣の有高情報と取引情報を記録する第１の記憶部１７を有し、前記現金出納機１は、収納している貨幣の有高情報を記録する第２の記憶部１０ａを有し、前記貨幣の収納動作または回収動作に伴う、貨幣の移動結果から前記有高情報が演算され、前記第１、第２の記憶部１０ａ，１７に記録される。【選択図】 図１
2008293297.tif 000002
【特許請求の範囲】
【請求項１】
取引に利用する貨幣を格納する可搬型取引装置と、
該可搬型取引装置と機械的かつ電気的に接続可能な現金出納機で構成され、該現金出納機に前記可搬型取引装置が接続されると、前記現金出納機から前記可搬型取引装置への貨幣の収納動作、または前記可搬型取引装置から前記現金出納機への貨幣の回収動作を可能とした現金管理システムであって、
前記可搬型取引装置には、収納している貨幣の有高情報と取引情報を記録する第１の記憶部を有し、
前記現金出納機は、収納している貨幣の有高情報を記録する第２の記憶部を有し、
前記貨幣の収納動作または回収動作に伴う、貨幣の移動結果から前記有高情報が演算され、前記第１、第２の記憶部に記録されることを特徴とする現金管理システム。
【請求項２】
請求項１記載の現金管理システムであって、
前記取引情報には取引金額情報を含み、
前記可搬型取引装置から回収した貨幣の有高情報と、該可搬型取引装置の第１の記憶部に記録されている取引金額情報を比較し、貨幣有高値より取引金額値が大きいときにその差額値の貨幣を前記現金出納機が出金する現金管理システム。
【請求項３】
請求項１記載の現金出納機であって、
少なくとも紙幣入出金処理部と硬貨入出金処理部で構成され、該紙幣入出金処理部および貨幣入出金処理部の外形寸法のうち、奥行き寸法が略同一なキャビネット型としたことを特徴とする現金出納機。
【請求項４】
請求項１記載の可搬型取引装置であって、
現金出納機と機械的かつ電気的に接続可能とし、貨幣の格納または回収を自動化したことを特徴とする可搬型取引装置。
【発明の詳細な説明】
【技術分野】
【０００１】
本発明は、金融機関の渉外員が所持する可搬型取引装置と該可搬型取引装置との貨幣授受を行う現金出納機とから構成される現金管理システムに関する。
【背景技術】
【０００２】
従来、金融機関の従業員が顧客のところへ出向いて行う渉外営業活動があり、預貯金の払い出し要求に対して渉外員が後日現金を届けたり、預け入れ要求に対しては現金を一時預かって事務所や店舗に戻ってから処理するなどにより、一時的にせよ未処理の現金を係員が預かることになるので、安全性や処理の誤りが発生する場合があった。このような問題点に対して、可搬型の現金取扱装置を実現することにより、顧客先で取引運用を可能にした技術がある（例えば、特許文献１)。この技術は、可搬型筐体内に紙幣を出金口まで繰り出し搬送する紙幣繰出機構と、取引金額や動作指示を入力する操作部とを具備したものである。
【０００３】
また、渉外員が顧客の元に出向き出金取引を行う場合であっても、出金取引処理が完遂できる取引システムがある（例えば、特許文献２)。この技術によれば、取引伝票に記入された顧客情報を読み取り可能な可搬型取引装置と上位装置とを通信回線で接続し、上位装置内の顧客情報データベース内に取引伝票から読み取った出金金額以上の預貯金残高があるとき、出金処理を行うことにより顧客元で完結可能とすることができる。
【０００４】
一方、現金取扱装置の現金金庫に現金を自動装填する現金取扱システムであって、装置に着脱可能な現金金庫と、該現金金庫に指定された金額の現金を自動装填する現金処理装置と、セットされた現金金庫の現金を少なくとも出金できる現金取扱装置とを有するものもある（例えば、特許文献３)。これにより、現金セット／回収における、係員の負担を軽減し、且つ、不正を防止することができる。
【０００５】
更に、渉外員別に予め割り当てられた識別コードが入力され、持参貨幣が貨幣入金機に入金されると、一時保留させた後、この保留分が所定量に達すると金庫に収納すると共に貨幣の計数データを記憶する。そして、継続して同入金貨幣の計数ができるようにしたものがある。（例えば、特許文献４)。従って、渉外員自身が操作できる入金貨幣精算処理装置を提供し、精算処理中に違算が発生してもスムーズに次に待っている渉外員の精算処理に移行できる。
【特許文献１】特開平０５−１９７８６１号（段落０００３，０００４）
【特許文献２】特開２００６−２１５７４８号（段落０００５，０００６）
【特許文献３】特開平０４−２４２８２２号（第２頁請求項）
【特許文献４】特開昭６１−２７６０９６号（第２頁右上欄）
【発明の開示】
【発明が解決しようとする課題】
【０００６】
しかしながら上述した従来技術では、可搬型取引装置を利用して渉外先での金融取引を完結することができるものの、この可搬型取引装置への現金の収納（装填）や回収は、渉外員または係員によって手作業で行われるので、作業上の煩わしさと現金管理上の正確性などに問題があった。
また、顧客元で取引を行った際に顧客の希望する貨幣（金種）が携帯型取引装置内に収納されていないときに、渉外員（個人）の所持金を一時的に立て替える場合や、釣銭として返金する貨幣が収納されていない場合、後日顧客に届けるなど精算処理が面倒で、煩わしいものであった。
【０００７】
そこで本発明は、可搬型取引装置への現金の収納や回収が自動化でき、渉外員または係員の作業上の煩わしさの解消と現金管理上の正確性の向上ができる現金管理システムを提供することを目的とする。
【課題を解決するための手段】
【０００８】
本発明は、取引に利用する貨幣を格納する可搬型取引装置と、該可搬型取引装置と接続可能な現金出納機で構成され、該現金出納機から前記可搬型取引装置への貨幣の収納動作、または前記可搬型取引装置から前記現金出納機への貨幣の回収動作を可能としたる現金管理システムであって、
可搬型取引装置には、収納している貨幣の有高情報と取引情報を記録する第１の記憶部を有し、現金出納機は、収納している貨幣の有高情報を記録する第２の記憶部を有し、前記貨幣の収納動作または回収動作に伴う、貨幣の移動結果から前記有高情報が演算され、前記第１、第２の記憶部に記録される。
【発明の効果】
【０００９】
本発明の現金管理システムによれば、可搬型取引装置への現金の装填や回収が自動化できるので、渉外員または係員の作業上の煩わしさと現金管理上の正確性の向上ができ、更に立替え等があっても一連の精算処理により対応できるという効果がある。
【発明を実施するための最良の形態】
【００１０】
以下、本発明の実施形態を詳細に説明する。図１は本発明の携帯型入出金機の外観図で、図２は本発明の携帯型入出金機の制御ブロック図ある。また、図３は本発明の紙幣入出金部の概念図であり、図４は本発明の現金出納機の外観図である。
【００１１】
図において、１は可搬型取引装置としての携帯型入出金機であり、金融機関の渉外員が持ち歩き、渉外先にて金融取引に使用するものであり、取引に利用する貨幣を格納しているものである。２は新券ユニットであり、未使用の紙幣を取り扱うもので、例えば日本銀行が発行した新券（札）を処理する。３は小束金庫であり、紙幣を所定枚数(例えば、１００枚)単位で施封した小束紙幣を収納する部位である。４は施封ユニットであり、小束金庫３に収納する小束紙幣を作成するため、紙帯で紙幣(例えば、１００枚)を施封する部位である。
【００１２】
５は棒金ユニットで、同一金種の硬貨を所定枚数(例えば、５０枚)単位で棒状に包装したもの（以後、棒金と称する）を金種別に収納する部位である。
６はバラ硬貨ユニットであり、硬貨入出金が可能なもので投入された硬貨を金種別に鑑別し、それぞれ金種別に収納する部位である。なお、上部には開閉可能なシャッタ６ａを有し、後述するステージが入り込めるようになっている。
７はバラ紙幣ユニットであり、紙幣入出金が可能なもので投入された紙幣を金種別に鑑別し、それぞれ金種別に積層収納する部位であり、上部には開閉可能なシャッタ７ａを有し、後述するステージが入り込めるようになっている。
【００１３】
８はポストであり、小切手等の有価証券類を受け入れ、保管する部位であり、開錠操作することにより、外部への取り出しが可能となる。
９はキャビネットであり、各種証書や帳票等を収納する収納部であって、用途は限定されない。
以上の各部は図４に示すように各ユニット前面を略一致させたキャビネット構成で製造され、背面側を設置店舗の壁面に密着させての設置が可能となっている。なお、一部のユニット間を紙幣や硬貨が移動可能に構成され、現金出納機１０が構築される。１００は現金出納機１０全体を制御するコンピュータである。
【００１４】
次に携帯型入出金機１の説明を行う。
まず、携帯型入出金機１は、上扉側１ａと本体側１ｂに分かれており、中央部を蝶番で結合されていて、本体側１ｂに上扉側１ａが閉じられるとロックできる、所謂アタッシュケース状になっている。
１１は操作表示部であって、処理に関する情報を液晶ディスプレイ表示可能な部位であり、また操作ボタンを有し、その操作ボタンを押下することにより入力が行われる。なお、操作表示部１１は携帯型入出金機１本体より脱着可能とし、有線（または無線でも可）で本体側１ｂと接続している。
１２は貨幣入出金部であって、紙幣入出金部１３と硬貨入出金部１４により構成される。紙幣入出金部１３は、紙幣の保管機能、金種や真偽判定する鑑別機能、更には保管されている紙幣を繰出し、搬送、または投入される紙幣を保管部位まで搬送する搬送機能を有している。
硬貨入出金部１４は上扉により密閉され、硬貨を保管するステージ（昇降可能）で構成される。なお、硬貨の保管機能、金種や真偽判定する鑑別機能、更には保管されている硬貨を繰出し、搬送、または投入される硬貨を保管部位まで搬送する搬送機能を有し、硬貨入出金の機械化も可能である。
シャッタ１２ａは携帯型入出金機１の底面に設けられ、図示しない駆動機構により開閉動作されるもので、紙幣入出金部１３および硬貨入出金部１４のステージ１２ｂに対応する一体型である。なお、個別に設けても良いのは言うまでもない。
【００１５】
１５はポストであって、顧客から預かる小切手や証書類、更には事前に顧客から要請され届けるべき小束紙幣などを保管する部位である。なお、これらの各部位には施錠機能を付加してある。
１６は携帯型入出金機１を係員が運搬するための取手部である。なお、この取手部１６は携帯型入出金機１の本体側１ｂにフック部（図示しない）を形成し、ベルトを取り付けて渉外員が肩にかけられるようにしてもよいし、キャスタを付加して路面を滑動可能にしたようなものでも良い。
１７は第１の記憶部としての記憶部で、半導体メモリで構成され、貨幣入出金部１２内に収納されている貨幣の金種とその枚数情報等の有高情報、更には、本携帯型入出金機１を特定可能なＩＤ情報や制御プログラムなどを格納している。
１８は制御部であって、記憶部１７に格納されている制御プログラムにより上記各部を制御するものである。１９は充電可能な電源部であって、上記各部に電力を供給すると共に、記憶部１７に記録される半導体メモリ内の情報をバックアップする。なお、電源部１９は家庭用電源の供給を受けて各部へ電力供給ができるようにしてもよい。
【００１６】
１３０は紙幣入出金口であって、格納されている紙幣が繰出されたり、渉外員が挿入した紙幣を内部に取込むための部位である。なお、紙幣の格納は金種毎に設定してもよいが、空間的な要因から、２箇所とし、該収納部に混在収納している。したがって、支払い金種が繰出し側の最上位に位置していないときには、他方の収納部にそれらの紙幣を一時退避させて、所望の金種のみを紙幣入出金口１３０に排出する。
１４０は硬貨取出・投入口であって、渉外員が所定の操作鍵を利用して上扉を開くことができ、収納されている硬貨を取り出すことができる。なお、渉外員による小額入金のときなどは、上扉部に
硬貨投入用のスリットを設け、硬貨を１枚ずつ投入（収納）できる構成としてある。
【００１７】
図３において、ステージ１２ｂ上に積層された紙幣Ｍは分離繰出し機構により搬送路１３１に1枚ずつ矢印Ｇ方向に繰出される。繰出された紙幣Ｍは鑑別部１３２を通過する。この鑑別部１３２により、紙幣Ｍの真偽、金種が識別され、且つ、通過枚数が計数される。鑑別部１３２により出金すべき金種であることが認識されると、矢印Ｈ方向に搬送され、紙幣入出金口１３０から出金される。また、鑑別部１３２で偽券と判定された場合や重送等により、紙幣入出金口１３０に出金できないと判断された紙幣Ｍは切替部１３３により搬送方向を矢印Ｊ方向に切り替えられる。
【００１８】
矢印Ｊ方向に搬送された紙幣Ｍは第２の収納部１３４に導かれ、積層収納される。この第２の収納部１３４からの紙幣繰出しも可能な構成である。従って、搬送路１３１は正逆方向に搬送可能な搬送路を形成している。
なお、紙幣Ｍの繰出し動作は、間欠的であっても良く、紙幣入出金口１３０に複数枚の紙幣Ｍを堆積できる構成とすれば連続的に行われてもよいことは言うまでもない。
【００１９】
次に、携帯型入出金機への貨幣収納について説明する。
図５は本発明の現金出納機から携帯型入出金機への貨幣収納の概念図であり、図４におけるＡＡ断面を矢印ａ方向から見た概念図である。図６は本発明における携帯型入出金機への貨幣収納のフローチャートである。なお、Ｓは動作ステップを意味する。
【００２０】
Ｓ１：貨幣を収納してない携帯型入出金機１を現金出納機１０に装着する。
携帯型入出金機１を図４の正面、即ち、図５に示す矢印ｂ方向から、バラ硬貨ユニット６とバラ紙幣ユニット７の上部空間に設けた図示しないロック手段が保持するまで挿入する。なお、本実施例では、携帯型入出金機１の上蓋側１ａを開状態としたが、閉状態のままでも良いことはいうまでもない。
Ｓ２：図示しないロック手段が保持したことを図示しない検知器が検知すると、現金出納機１０と機械的かつ電気的に接続され、現金出納機１０全体を制御するコンピュータ１００からの指示により操作入力が可能となる。なお、コンピュータ１００からの操作入力ではなく、操作表示部１１からでもよい。
【００２１】
Ｓ３：出納係員（渉外員でもよい）が、コンピュータ１００の図示しない操作部より「貨幣装填」メニューを選択し、更に、硬貨の金種と枚数、更には紙幣の金種と枚数を入力する。この入力に際しては、予め初期値（デホルト値）を設定しておいて、そのまま設定、または修正を可能にしてもよい。また、訪問する顧客の口座情報（預貯金残高情報を含む）を予め取り込んでおくこともできる。
コンピュータ１００に貨幣収納情報が入力され、収納開始指示操作が行われる。この信号はバラ硬貨ユニット６およびバラ紙幣ユニット７側、更には制御部１８に送信される。
【００２２】
Ｓ４：バラ硬貨ユニット６およびバラ紙幣ユニット７では、自ユニット内の貨幣有高から要請された金種及びその数量が供給可能であるか否かを判断する。
Ｓ５：供給不可能であるときには、図示しない報知手段により出納係員に連絡し、補充操作を行わせることになる。
Ｓ６：コンピュータ１００は供給可能な場合に、携帯型入出金機１およびバラ硬貨ユニット６およびバラ紙幣ユニット７にシャッタ６ａ、７ａ、１２ａを矢印Ｃ方向に開く指示を出力する。このシャッタ６ａはバラ硬貨ユニット６の上部に設けられており、シャッタ７ａはバラ紙幣ユニット７の上部に設けられている。これらのシャッタ６ａ、７ａに対向する位置に設けられた、携帯型入出金機１側のシャッタ１２ａが開かれるので、ステージ１２ｂが現れる。
【００２３】
Ｓ７：バラ硬貨ユニット６およびバラ紙幣ユニット７は、図示しない機構により携帯型入出金機１内のステージ１２ｂを矢印Ｅ方向に降下させる。この降下動作は図示しない機構により行われるが携帯型入出金機１側の動作として構築しても良い。
Ｓ８：ステージ１２ｂが降下したらバラ硬貨ユニット６およびバラ紙幣ユニット７は指示されている貨幣（紙幣と硬貨）量をステージ１２ｂ上に取り込む。
【００２４】
Ｓ９：ステージ１２ｂ上に所定量の貨幣が取り込まれると、ステージ１２ｂが上昇される。この上昇動作が終了したことで携帯型入出金機１内に貨幣が取り込まれたことをコンピュータ１００に通知する。
Ｓ１０：携帯型入出金機１およびバラ硬貨ユニット６およびバラ紙幣ユニット７がシャッタ６ａ、７ａ、１２ａを矢印Ｄ方向に移動させて閉じる。このシャッタ閉動作は同時動作であってもよく、また所定順に動作しても良い。
【００２５】
Ｓ１１：携帯型入出金機１の制御部１８は、ステージ１２ｂ上にある貨幣の金種とその金種別枚数情報を現金出納機１０側より受信して記憶部１７に記録する。一方、現金出納機１０側では、携帯型入出金機１を特定可能な識別コードに対応付けて、貨幣の金種とその金種別枚数情報を第２の記憶部としての記憶部１０ａに記録するとともに、有高情報を減額更新する。
Ｓ１２：記憶部１７への貨幣の金種とその金種別枚数情報の記録が終了すると、携帯型入出金機１のロックを解除する。これにより、出納係員は携帯型入出金機１を取り外すことができるようになる。このようにして、紙幣と硬貨が同時に収納されるので、短時間で処理が完了できる。
【００２６】
以上の説明では、バラ硬貨を携帯型入出金機１に収納する例で説明したが、棒金で収納しておき渉外員が棒金の包装を除去して、バラ硬貨として支払いに利用することでもよい。
なお、現金金庫や自動取引装置への貨幣の収納は、特開平４−２４２８８２５号公報(特許文献３)、自動取引装置での収納では特開２００４−２２０２７７号公報等により周知技術となっているが、アタッシュケース型ではなく、且つ、紙幣と硬貨を同時に扱うものではない。
【００２７】
次に、渉外先で携帯型入出金機を操作しての出金取引について説明する。
図７は、本発明における携帯型入出金機による出金取引のフローチャートである。なお、Ｓは動作ステップを意味するのは前述と同じである。
Ｓ２１：渉外員が顧客の住居等において出金取引を行う場合、まず操作表示部１１から起動を指示する入力を行うと、制御部１８は記憶部１７に格納されている制御プログラムに従って携帯型入出金機１を起動させる。
Ｓ２２：続いて、渉外員は自らのＩＤ情報とパスワードの入力を行う。ＩＤとパスワードによる本人確認が行われると、表示される取引科目選択画面より「出金取引」を意味する操作入力を行う。
【００２８】
Ｓ２３：渉外員は顧客が提示した通帳やカードから、口座番号を目視確認するとともに、残高情報および渉外員が出店前に確認したオンライン元帳残高情報を参考に確認し、不具合がないときには取引金額を入力する。例えば、入力された金額を充足できる貨幣(紙幣及び又は硬貨)が繰出される。紙幣であれば、紙幣入出金口１３０より出金される。また、硬貨であれば、硬貨取出・投入口１４０の上扉が開放され硬貨が出金される。
Ｓ２４：ステージ１２ｂ上の紙幣Ｍは分離機構により搬送路１３１に繰り出され、鑑別部１３２に導かれ、ここで紙幣毎に真偽および金種判定が行われる。
Ｓ２５：制御部１８は鑑別部１３２の鑑別結果により、紙幣入出金口１３０に導くか、又は第２の収納部１３４に導くかを判断する。
【００２９】
Ｓ２６：制御部１８は入力された金額と等価の貨幣が出金されたかを監視し、一致するまで繰出しを続ける。
Ｓ２７：ステップＳ２５にて、ステージ１２ｂから繰り出された紙幣の金種が出金すべき紙幣金種と異なる時、更には、金種判定ができない時、加えて、重送や連鎖等が発生したときには切替部１３３を動作させて、それらの紙幣を第２の収納部１３４に導くよう制御する。なお、第２の収納部１３４に一時保管された紙幣は、出金動作終了後に搬送路１３１に繰り出され、ステージ１２ｂ上に戻すような動作を行っても良い。
【００３０】
Ｓ２８：入力された金額と等価の貨幣が出金されると、操作表示部１１に出金の結果が表示される。なお、ステップＳ２４において、貨幣の繰出障害が発生した場合や、入金額の誤入力等による停止状態の解除は渉外員が対応するが説明は省略する。
Ｓ２９：渉外員は表示結果を確認し、良否判定入力する。本ステップＳ２９にて取消し操作が行われると、ステップＳ２２に戻る。
Ｓ３０：操作表示部１１から終了操作を行うと、制御部１８は記憶部１７に記録されている貨幣の有高情報を更新すると共に取引情報を記録する。渉外員は顧客に貨幣を手渡す。なお、通帳記帳は実施できないので、後刻の通帳記帳を勧める。
【００３１】
取引が修了したら、操作表示部１１から電源断の処理を行い、続けて、上扉側１ａを閉じて本体側１ｂと合体させる。
なお、小切手や手払紙幣の場合は、ポスト１５への投入やポスト１５内からの紙幣取出し操作により対応することになる。この場合でも、操作表示部１１から取引情報を入力することは言うまでもない。
【００３２】
なお、入金取引の場合には、紙幣入出金口１３０、または硬貨取出・投入口１４０より渉外員によって投入され、機器内部に取り込まれ紙幣入出金部１３または硬貨入出金部１４に保管される。
例えば、紙幣入出金口１３０より投入された紙幣は、搬送路１３１に導かれ、鑑別部１３２で真偽、金種判定が行われ、正券の場合にはステージ１２ｂ上に積み上げられる。また、偽券や重送と判定された場合には、搬送を中止し、紙幣入出金口１３０に戻される。
【００３３】
以上説明したように、貨幣の入出金に伴う取引を渉外先で行えるので、外出の困難な顧客にとっては利便性がよい。また、アタッシュケース型の携帯型入出金機であるので、運搬性にもすぐれている。なお、運搬性に優れているが故、強奪等の危険性もあるので、所定のセキュリテイ機能、たとえば、渉外員が腕に装着したりポケット等に保有する通信機器との距離が所定以上となった時、警報音を発したりするようにする。更には、貨幣に特殊なインク等を噴射して、後日の利用時の妨げになるようにしてもよい。
【００３４】
次に、渉外先にて、両替取引や出金取引時に顧客の希望する貨幣（金種）が携帯型入出金機１内に残っておらず、渉外員（個人）の手持金を一時的に立て替える場合を説明する。図８は本発明における携帯型入出金機の両替処理のフローチャートである。顧客が１万円券を千円券１０枚に両替を希望することとし、その際に携帯型入出金機内には千円券は８枚しか残っておらず、残りの２千円を渉外員が立て替えることとして説明する。なお、Ｓは本項においても動作ステップを意味する。
【００３５】
Ｓ４１：渉外員が顧客の住居等において両替取引を行う場合、まず操作表示部１１から起動を指示する入力を行うと、制御部１８は記憶部１７に格納されている制御プログラムに従って携帯型入出金機１を起動させる。
Ｓ４２：続いて、渉外員は自らのＩＤ情報とパスワードの入力を行う。ＩＤとパスワードによる本人確認が行われると、表示される取引科目選択画面より「両替取引」を意味する操作入力を行う。続けて、渉外員は顧客が提示した通帳等から、口座情報等を得て口座番号と出金すべき紙幣枚数（千円券×１０枚）を入力する。
【００３６】
Ｓ４３：すると制御部１８は、記憶部１７内の有高情報から入力された金額（千円券×１０枚）を充足できるか否かを判断する。
千円券が１０枚以上格納されている場合には、後述するステップＳ４７に移行する。千円券が１０枚未満のときには、次ステップＳ４４に移る。
Ｓ４４：制御部１８は、有高情報から千円券が２枚不足していることが算出できるので、操作表示部１１にその旨を表示する。例えば、「両替金額［１万円券］→［１０千円券］，収納：８千円券、不足２千円券、立替する場合は「立替ボタン」を押すこと」と表示する。
Ｓ４５：渉外員は操作表示部１１の「立替ボタン」を押すと立替金額の入力画面に移る。また、手持ち金などを所持しない場合には、「キャンセルボタン」を押すことにより、ステップＳ４２に戻る。
【００３７】
Ｓ４６：渉外員が操作表示部１１から、「立替千円券×２枚」と入力すると制御部１８は、取引情報として「入金１万円、出金８千円、立替２千円」を記憶部１７に記録する。
Ｓ４７：制御部１８は千円紙幣８枚を紙幣入出金口１３０より出金させる。まず、ステージ１２ｂ上の紙幣Ｍは分離機構により搬送路１３１に繰り出され、鑑別部１３２に導かれ、ここで紙幣毎に真偽および金種判定が行われる。制御部１８は鑑別部１３２の鑑別結果により、千円券は紙幣入出金口１３０に導き、その他は第２の収納部１３４に導く。
【００３８】
Ｓ４８：制御部１８は入力された金額と等価の貨幣が出金されたかを監視し、一致するまで繰出しを続ける。ステップＳ４７にて、ステージ１２ｂから繰り出された紙幣の金種が出金すべき紙幣金種（千円券）と異なる時、更には、金種判定ができない時、加えて、重送等が発生したときには切替部１３３を動作させて、それらの紙幣を第２の収納部１３４  
【００３９】
Ｓ４９：指示された金額（千円券８枚）出金されると、操作表示部１１に出金の結果が表示される。なお、出金に際しては千円券１枚ずつ繰り出すが、重送等が発生したときには不足となるが、この重送紙幣は第２の収納部１３４に格納されているので、発生の都度、一旦、ステージ１２ｂ上に戻してから、再度の分離繰り出し動作を行うこととする。
Ｓ５０：渉外員は表示結果を確認する。再度の分離繰り出しでも重送等が発生したとき、その不足分の紙幣（千円券）枚数を表示して、渉外員により立替金額の増加可否を表示するようにしても良い。
【００４０】
Ｓ５１：携帯型入出金機１からの出金（千円券８枚）が終了すると、顧客から提示されている万円券（１枚）を紙幣入出金口１３０から入金する。投入された紙幣は鑑別部１３２に導かれ、ここで真偽および金種判定が行われ、ステージ１２ｂに集積する。ここで、鑑別部１３２の鑑別結果により、偽券判定であるときには、紙幣入出金口１３０に戻して、渉外員の対応とする。
Ｓ５２：このようにして、紙幣入出金口１３０から投入された紙幣（１万円券）が取り込まれると、両替取引としての入金が完了する。渉外員は、出金した紙幣(千円券８枚)と手持ち紙幣（千円券２枚）を顧客に手渡す。
【００４１】
Ｓ５３：制御部１８は、最終確認情報として、「入金：１万円、出金：８千円、立替：２千円」を操作表示部１１に表示する。
Ｓ５４：渉外員が操作表示部１１から終了操作を行うと、制御部１８は記憶部１７に格納されている貨幣の有高情報を更新すると共に両替取引情報も記憶する。
このように、渉外員の手持ち資金を一時的に利用しての取引を可能とすることで、顧客にとっては利便性が良い。また渉外員にとっても立替処理を携帯型入出金機１に登録しておけるので、失念しないような気づかいを軽減できる。
【００４２】
次に、携帯型入出金機の精算処理について説明する。
図９は、本発明における携帯型入出金機の精算処理のフローチャートである。なお、Ｓは本項においても動作ステップを意味する。
Ｓ６１：渉外先から営業拠点に戻った渉外員は、現金出納機１０に携帯型入出金機１を装着し、操作表示部１１を操作して起動する。なお、コンピュータ１００からの操作でもよい。
更には、現金出納機１０に携帯型入出金機１が装着され、ロック手段が作用した後、電源部１９への充電動作を開始する。
【００４３】
Ｓ６２：操作表示部１１から処理の指示入力を行う。ここでは、「精算処理」が指示されることになる。
Ｓ６３：精算処理を受け付けた制御部１８は、現金出納機１０側が貨幣の受け入れが可能であるかを判断する。この確認は、現金出納機１０側またはコンピュータ１００が常時、機器管理しているので、受け入れ可能として説明を進める。なお、制御部１８は第２の収納部１３４に紙幣が存在するときには、該紙幣をステージ１２ｂに戻すように動作させる。
受け入れ可能な場合にコンピュータ１００は、携帯型入出金機１およびバラ硬貨ユニット６およびバラ紙幣ユニット７にシャッタ６ａ、７ａ、１２ａを開く指示を出力する。シャッタ６ａ、７ａ、１２ａが開くとステージ１２ｂが現れる。この時に記憶部１７内に収納している貨幣有高情報も現金出納機１０側に通知される。
【００４４】
バラ硬貨ユニット６およびバラ紙幣ユニット７は、図示しない機構により携帯型入出金機１内のステージ１２ｂを降下させる。この降下するステージ１２ｂ上には回収される貨幣が載置されている。ステージ１２ｂが降下したらバラ硬貨ユニット６およびバラ紙幣ユニット７側の図示しない貨幣受入部に現金（紙幣と硬貨）を取り込む。
ステージ１２ｂ上の貨幣が送り込まれると、貨幣の無くなったステージ１２ｂが上昇される。この上昇動作が終了したことで携帯型入出金機１内の貨幣が無くなったことが制御部１８からコンピュータ１００に通知される。
【００４５】
Ｓ６４：携帯型入出金機１およびバラ硬貨ユニット６およびバラ紙幣ユニット７がシャッタ６ａ、７ａ、１２ａを閉じる。このシャッタ閉動作は同時動作であってもよく、また所定順に動作しても良いのは前述のとおりである。
現金出納機１０は、バラ硬貨ユニット６およびバラ紙幣ユニット７が受け入れ、入金計数した貨幣の合計金額と、記憶部１７に記録されていてステップＳ６３で受信した貨幣有高情報の照合を行う。
Ｓ６５：照合結果が一致すれば次ステップＳ６６に進める。不一致の時にはステップＳ６７に進める。
【００４６】
Ｓ６６：現金出納機１０側では、携帯型入出金機１を特定可能な識別コードに対応付けて、貨幣の金種とその金種別枚数情報を記憶部１０ａに記録するとともに、有高情報として増額更新する。
携帯型入出金機１の制御部１８は、ステージ１２ｂ上にあった貨幣が無くなったことにより収納していた金種とその金種別枚数情報を初期値（ゼロ）に更新する。
一方、記憶部１７への貨幣の金種とその金種別枚数情報の初期化が終了したので、携帯型入出金機１のロックを解除する。これにより、渉外員は携帯型入出金機１を取り出すことができるようになる。なお、充電（時間）が不充分の場合には、ロックを解除しないでそのまま放置してもよい。
【００４７】
Ｓ６７：ステップＳ６５にて、不一致の時にコンピュータ１００は、携帯型入出金機１から受信した取引履歴の中に、渉外員による「立替情報」が存在するか否かを判別する。
Ｓ６８：「立替情報」が存在しない場合には操作表示部１１に表示して、渉外員に知らせる。なお、コンピュータ１００の表示部に表示するように構成してもよい。
Ｓ６９：「立替情報」が存在するときには、立替金額を渉外員に手渡しする必要があるので、バラ硬貨ユニット６およびバラ紙幣ユニット７を起動させて、立替金相当の貨幣を出金する。なお、現金出納機１０には携帯型入出金機１が取り付いているので、立替金を出金することができない。よって、返金される紙幣（硬貨を含む場合もあり）をバラ紙幣ユニット７(硬貨ありのときは、バラ硬貨ユニット６を含める)の図示しない出金口より出金する。
【００４８】
渉外員は、出金された貨幣を引き取ることになる。しかしながら装置外に出金されたまま長時間放置されると、不正行為による貨幣の隠匿や搾取が生じる可能性がある。従って、渉外員の所持する携帯機器等の端末に通知してから出金操作させても良いし、渉外員の開設している口座等に、自動振込可能な設定とするようなシステムであっても良い。
【産業上の利用可能性】
【００４９】
本現金管理システムは金融機関に限定されない。例えば、遊戯店等における運転資金の管理（開店から閉店まで入出金）や、競技場等における物品販売時の販売管理システムなどに応用可能で、所定の現金出納機から貨幣を出金させて、格納しておき、直接的に販売するときの小型金庫的な利用も可能となる。
【図面の簡単な説明】
【００５０】
【図１】本発明の携帯型入出金機の外観図である。
【図２】本発明の携帯型入出金機の制御ブロック図である。
【図３】本発明の紙幣入出金部の概念図である。
【図４】本発明の現金出納機の外観図である。
【図５】本発明の現金出納機から携帯型入出金機への貨幣収納の概念図である。
【図６】本発明の現金管理システムにおける貨幣収納のフローチャートである。
【図７】本発明の携帯型入出金機による出金取引のフローチャートである。
【図８】本発明の携帯型入出金機による両替取引のフローチャートである。
【図９】本発明の現金管理システムにおける精査処理のフローチャートである。
【符号の説明】
【００５１】
１  可搬型取引装置（携帯型入出金機）
６  バラ硬貨ユニット
７  バラ紙幣ユニット
１０  現金出納機
１０ａ  第２の記憶部
１１  操作表示部
１２  貨幣入出金部
１２ｂ  ステージ
１３  紙幣入出金部
１４  硬貨入出金部
１７  第１の記憶部
１３０  紙幣入出金口
【図１】
2008293297.tif 000003
【図２】
2008293297.tif 000004
【図３】
2008293297.tif 000005
【図４】
2008293297.tif 000006
【図５】
2008293297.tif 000007
【図６】
2008293297.tif 000008
【図７】
2008293297.tif 000009
【図８】
2008293297.tif 000010
【図９】
2008293297.tif 000011